(57)【要約】【課題】関連する回路品質に問題を起こすことなく大型のフラットパネルディスプレーに適用出来るフラットパネルディスプレーのスイッチオンオフでのノイズ抑制方法を提供する。【解決手段】信号検知回路とビデオ信号プロセッサをタイムコントローラＩＣに一体化している。スイッチオン動作時、信号検知回路機能は信号が安定しているかどうかを検知する。不安定信号を検知すると、ビデオ信号プロセッサがドライバーＩＣをコントロールしてブラックバースト信号を出力する。スイッチオフ動作時、信号検知回路を使ってスイッチオフ信号を検知する。スイッチオフ信号を検知すると、ビデオ信号プロセッサがドライバーＩＣをコントロールしてチャージリセット信号を出力する。総てのピクセルに対してチャージリセットした後に、フラットパネルディスプレーをスイッチオフする。【選択図】  図１
2005037707.tif 000002
【特許請求の範囲】
【請求項１】
タイムコントローラと複数のドライバーＩＣで駆動するフラットパネルディスプレーのスイッチオンでのノイズ抑制方法であって、
信号検知回路とビデオ信号プロセッサを備え、
フラットパネルディスプレーへの信号が安定しているかどうかを信号検知回路により検知し、そして信号が不安定の時にはドライバーＩＣをコントロールしてビデオ信号プロセッサによりブラックバースト信号を出力する
ことを特徴とするノイズ抑制方法。
【請求項２】
信号検知回路により検知した信号が安定しているとき、ビデオ信号プロセッサがドライバーＩＣをコントロールして通常の表示信号を出力することを特徴とする請求項１に記載のノイズ抑制方法。
【請求項３】
タイムコントローラと複数のドライバーＩＣで駆動するフラットパネルディスプレーのスイッチオフでのノイズ抑制方法であって、
信号検知回路とビデオ信号プロセッサを備え、
フラットパネルディスプレーをスイッチオフする間にスイッチオフ信号を検知し、そしてスイッチオフ信号を検知すると、ビデオ信号プロセッサがドライバーＩＣをコントロールしてチャージリセット信号を出力し、
フラットパネルディスプレーがチャージリセットした後にフラットパネルディスプレーをスイッチオフする
ことを特徴とするノイズ抑制方法。
【請求項４】
タイムコントローラと複数のドライバーＩＣで駆動するフラットパネルディスプレーのスイッチオンオフでのノイズ抑制方法であって、
フラットパネルディスプレーへの信号入力が安定しているかどうかとスイッチオフ信号を検知する信号検知回路とビデオ信号プロセッサを備え、
フラットパネルディスプレーのスイッチオンの間、信号検知回路により検知した信号が不安定な時に、ドライバーＩＣをコントロールしてビデオ信号プロセッサによりブラックバースト信号を出力し、
フラットパネルディスプレーのスイッチオフの間、信号検知回路によりスイッチオフ信号を検知すると、ドライバーＩＣをコントロールしてビデオ信号プロセッサによりチャージリセット信号を出力し、チャージリセットした後にフラットパネルディスプレーをスイッチオフする
ことを特徴とするノイズ抑制方法。
【発明の詳細な説明】
【技術分野】
【０００１】
本発明は、概略的に云えば、フラットパネルディスプレーのスイッチオンオフ時のノイズ抑制方法に関するものであり、さらに云えば、スイッチオン動作時にドライバーＩＣからブラックバースト信号を出力し、スイッチオフ動作時には駆動チップからチャージリセット信号を出力するノイズ抑制方法に関するものである。
【背景技術】
【０００２】
マルチメディア発展の殆どが、半導体デバイスや表示装置の進歩によるところが大きい。卓越した表示品質と経済性を有していることから、ブラウン管が長年に亘って表示装置市場で圧倒的な地位を占めてきた。しかしながら、スペース占有と電力消費を含む問題点は、ブラウン管では解決されないままである。軽く薄く短く小さく、そして低電力消費という要求はブラウン管では対応できない。よって、高品質、効率的なスペース利用、低電力消費、ノン放射線である薄膜トランジスタ液晶ディスプレー（ＴＦＴ−ＬＣＤ）が、徐々に市場を占めるようになり表示装置の主流となっている。
【０００３】
一般的に、フレームノイズはフラットパネルディスプレーのスイッチをオンオフする時に発生する不安定な信号により引き起こされる。フラットパネルディスプレーのスイッチオン動作時に起きるフレームノイズは、不安定な信号源により発生する。フラットパネルディスプレーのスイッチオフ動作時に起きるフレームノイズは、信号源を接続する時に信号接続プロセスが完了していないのに、フラットパネルディスプレーが最終の表示フレームで切り替わることから起きる。例えば、薄膜トランジスタ液晶ディスプレーにおいて、スイッチオン動作時に表示フレーム上に過渡的に明るくなる。加えて、スイッチオフ動作時にバックライト源をスイッチオフしないで、信号電源と信号のみをスイッチオフすると、表示フレームのイメージが非常にゆっくりした速度で消える。他方、信号電源および信号と同時にバックライト源をスイッチオフすると、ディスプレー上に波状の影の変化が現れる。そのような現象をフェードアウトと呼んでいる。
【０００４】
フェードアウト現象を解消する従来技術では、ピクセル総てをスイッチオンして、各ピクセルでのチャージを均一にする。この技術においては、スイッチオフ動作時にゲートドライバーＩＣまたは列ドライバーＩＣにより総てのピクセルをスイッチオンして、ピクセルが迅速にそして均一にディスチャージされるようにする。しかしながら、ゲートドライバーＩＣにより総てのピクセルをスイッチオンして、同じデータ線でコントロールするピクセルを均一にチャージすると、竪方向にあるディスプレーライン（すなわち、同じデータ線によりコントロールされるディスプレーライン）全体に沿って均一にピクセルがチャージされる。
【０００５】
加えて、スイッチオフ動作時、ゲートドライバーチップにより大きな信号電流を供給してピクセル総てをスイッチオンする必要がある。これは関係する回路の品質について不安を招く可能性がある。分解度１０２４×７６８のディスプレーの例では、一つの走査線でコントロールする薄膜トランジスタをスイッチオンするために、１ｍＡの電流を供給する必要がある。同時に７６８のデータ線でコントロールする薄膜トランジスタをスイッチオンすることにより、必要な合計電流７６８Ａが関連する回路を損傷する可能性が高い。さらに、前記のチャージの均一化をより解像度の高い大きなディスプレーに行うと、解像度の増加に従いピクセル総てをスイッチオンするための電流は更に増加する。よって、スイッチオフ動作時に起きるノイズを抑えるためにピクセル総てを均一にチャージするという先行技術は、大きいサイズのパネルに適用することは効果的でない。
【発明の開示】
【発明が解決しようとする課題】
【０００６】
本発明は、関連する回路品質に問題を起こすことなく大型のフラットパネルディスプレーに適用出来るフラットパネルディスプレーのスイッチオンオフでのノイズ抑制方法を提供する。
【課題を解決するための手段】
【０００７】
本発明が提供するノイズ抑制方法では、タイムコントローラＩＣに信号検知回路とビデオ信号プロセッサを挿入することが含まれている。信号検知回路を使って、スイッチオン動作時の信号が安定しているかどうかを検知する。ディスプレーパネルのスイッチオン動作時に不安定な信号を検知すると、ビデオ信号プロセッサでコントロールしているドライバーＩＣによりブラックバースト信号を出力する。よって、ディスプレー画面はスイッチオン動作時に強制的に全ブラックを表示して、不安定信号が引き起こすノイズを避ける。加えて、スイッチオン動作時の全ブラック表示時間はフレーム時間によりコントロールできる。
【０００８】
さらに本発明では、フラットパネルディスプレーのスイッチオフ（訳注：原文ではオンオフとなっているが、この場合はオフのみの方が適切と思われる）でのノイズ抑制方法を提供する。信号検知回路とビデオ信号プロセッサをタイムコントローラＩＣに一体化している。信号検知回路はスイッチオフ信号を検知するために使用する。ビデオ信号プロセッサでコントロールして、ドライバーＩＣがディスプレーの各ピクセルにチャージリセット信号を出力する。各ピクセルでチャージリセットが完了した後にディスプレーをスイッチオフして、フェードアウト現象が改善される。
【０００９】
さらに本発明には、前述のスイッチオン動作時およびスイッチオフ動作時のノイズ抑制方法を一体化した、フラットパネルディスプレーのスイッチオンオフでのノイズ抑制方法を含んでいる。スイッチオン動作時、タイムコントローラＩＣにある信号検知回路は信号が安定しているかどうかを検知する。スイッチオン動作時に不安定な信号を検知すると、ビデオ信号プロセッサがドライバーＩＣをコントロールしてブラックバースト信号を出力する。加えて、スイッチオフ動作時、タイムコントローラＩＣの信号検知回路がスイッチオフ信号を検知する。スイッチオフ信号を検知すると、ビデオ信号プロセッサはコントローラＩＣをコントロールして、チャージリセット信号を出力する。総てのピクセルでチャージリセットが完了すると、フラットパネルディスプレーがスイッチオフされる。このように、スイッチオン動作時に発生する不安定信号が引き起こすノイズ問題を解消するだけでなく、スイッチオフ動作時のフェードオフ現象も改善される。
【００１０】
前述の全体的な記述や以下の詳細な記述は例示的な説明であり、特許請求範囲のように本発明を制限するものではない。
【発明の効果】
【００１１】
結果的に、本発明が提供するフラットパネルディスプレーのスイッチオンオフでのノイズ抑制方法では、少なくとも以下のようなメリットがある。
【００１２】
１．フラットパネルディスプレーのスイッチオンの間に、ブラックバースト信号を強制的に出力してスイッチオンノイズを効果的に抑える。
【００１３】
２．フラットパネルディスプレーをスイッチオフする間に、チャージリセット信号を出力する。総てのチャージリセットが完了するまでフラットパネルディスプレーはスイッチオフされず、スイッチオフ時のノイズを効果的に抑える。
【００１４】
３．本発明が提供するフラットパネルディスプレーのスイッチオンオフでのノイズ抑制方法は、スイッチオン動作時に発生する不安定信号が引き起こすノイズ問題を解消するだけでなく、フェードアウト現象も改善する。
【００１５】
ここで公開している本発明の仕様や実際を考慮することにより、この分野の当業者には本発明の別の実施例も派生する。仕様や例は例示としてのみ考慮されることを意図しており、本発明の適用範囲と精神は特許請求範囲により示している。
【発明を実施するための最良の形態】
【００１６】
［実施例１］図１に、本発明の実施例でタイムコントローラＩＣのビデオ信号プロセッサおよび信号検知回路を使ってスイッチオンオフ時のノイズを抑制する概略図を示している。図１に示すように実施例では、信号検知回路およびビデオ信号プロセッサをフラットパネルディスプレーのタイムコントローラＩＣに挿入している。フラットパネルディスプレーのスイッチが入ると、信号検知回路を使ってスイッチオン動作時の信号が安定しているかどうかを検知する。信号検知回路が不安定な信号を検知すると、ビデオ信号プロセッサによりコントロールしているドライバーＩＣからブラックバースト信号を出力して、スイッチオン動作時に強制的に表示画面が全体にブラックを表示するようにする。結果的に、不安定な信号に起因するノイズが回避される。
【００１７】
スイッチオン動作時の全ブラック画面表示の時間はフレーム相当時間でコントロールする。例えば、およそ６０Ｈｚの走査周波数のフラットパネルディスプレーでは、フレーム相当時間は約１５.７ｍｓである。それ故に、スイッチオン動作時の全ブラック表示時間は約（１５.７×Ｎ）ｍｓ続く。全ブラック表示時間はビデオ信号プロセッサによって決まり、Ｎの値は不安定信号の持続時間と密接な関係がある。
【００１８】
図２は、本発明の実施例でフラットパネルディスプレーのスイッチオン時のノイズを抑制するブロックダイアグラムを示している。図２に関して、スイッチオン動作時（Ｓ１００）に、タイムコントローラＩＣの信号検知回路は信号が安定しているかどうかの検知を始める（Ｓ１０２）。信号検知信号の検知結果により次のプロセスが決まる。信号検知信号により検知した信号が安定しているなら、ビデオ信号プロセッサはドライバーＩＣをコントロールして通常の表示信号を出力し、パネルは通常に表示する（Ｓ１０４）。他方、信号検知回路が不安定な信号を検知すると、タイムコントローラＩＣのビデオ信号プロセッサはドライバーチップをコントロールして、ブラックバースト信号を出力する（Ｓ１０６）。信号検知回路の検知した信号が通常に戻ると、ビデオ信号プロセッサは通常の表示信号を出力して、パネルは再び通常に表示する（Ｓ１０８）。
【００１９】
図３Ａと図３Ｂは、本発明の実施例においてスイッチオン動作時のビデオ信号プロセッサによるイメージ出力を示している。この実施例において、スイッチオン動作時にブラックバースト信号を出力することにより、ディスプレー画面は強制的に全ブラックを表示し、不安定信号に起因するノイズを回避する。大きく分けて、パネルは常時ホワイトタイプと常時ブラックタイプに分類される。図３Ａに関して、常時ホワイトタイプが駆動しているとき、パネルにかかるコモン電圧Ｖcommonとホワイト信号Ｖwhite間の電圧差異は、コモン電圧Ｖcommonとブラック信号Ｖblack間の差異よりも小さい。それ故に、常時ホワイトパネルのスイッチオンノイズを抑えるために、ビデオ信号プロセッサがドライバーＩＣをコントロールして、コモン電圧Ｖcommonとは大きく差異のあるブラック信号Ｖblackを出力し、スイッチオン動作時に常時ホワイトパネルは全ブラックを表示する。
【００２０】
図３Ｂに関して、常時ブラックパネルを駆動している時、パネルにかかるホワイト信号Ｖwhiteとコモン電圧Ｖcommon間の電圧差異は、ブラック信号Ｖblackとコモン電圧Ｖcommonの差異よりも大きい。よって、常時ブラックパネルのスイッチオンノイズを抑えるために、コモン電圧Ｖcommonとは差異の小さいブラック信号を出力して、常時ブラックパネルにスイッチオン動作時に全ブラックを表示する。
【００２１】
［実施例２］図４は、本発明の実施例によりタイムコントローラＩＣを使ってスイッチオフ時のノイズを抑える概略図を示している。この実施例では、タイムコントローラＩＣには信号検知回路およびビデオ信号プロセッサが含まれている。パネルのスイッチオフ動作時に、信号検知回路がスイッチオフ信号を検知する。そして、ビデオ信号プロセッサがドライバーＩＣをコントロールして、ディスプレーの各ピクセルにチャージリセット信号を出力する。各ピクセルでチャージリセットが行われると、パネルをスイッチオフしてフェードアウト現象を改善する。
【００２２】
図５は、本発明の実施例においてフラットパネルディスプレーのスイッチオフ時のノイズを抑える方法についてのブロックダイアグラムを示している。図５に関して、ユーザーによりスイッチオフ命令が実行されると（Ｓ２００）、タイムコントローラＩＣの信号検知回路がスイッチオフ信号を検知する（Ｓ２０２）。信号検知回路によりスイッチオフ信号が検知されると、タイムコントローラＩＣのビデオ信号プロセッサがドライバーＩＣをコントロールして、チャージリセット信号を出力し（Ｓ２０４）、フラットパネルディスプレーのピクセル総てがチャージリセットを行う。総てのピクセルがチャージリセットを行った後に、フラットパネルディスプレーをスイッチオフする（Ｓ２０６）。
【００２３】
図６Ａと図６Ｂはビデオ信号プロセッサによるスイッチオフ動作時の信号出力を示している。図６Ａに関して、常時ホワイトのパネルを駆動している間、パネルにかかるホワイト信号Ｖwhiteとコモン電圧Ｖcommon間の電圧差異は、ブラック信号Ｖblackとコモン電圧Ｖcommonの電圧差異より小さい。よって、常時ホワイトパネルのスイッチオフ時のノイズを抑えるために、ビデオ信号プロセッサがドライバーＩＣをコントロールして、チャージリセット信号であるホワイト信号Ｖwhiteを出力する。それ故に、常時ホワイトパネルをスイッチオフする前に、総てのピクセルがチャージリセットを完了する。
【００２４】
図６Ｂに関して、常時ブラックのパネルを駆動している間、パネルにかかるホワイト信号Ｖwhiteとコモン電圧Ｖcommonの電圧差異は、ブラック信号Ｖblackとコモン電圧Ｖcommon間の電圧差異よりも大きい。よって、常時ブラックパネルのスイッチオフでノイズを抑えるために、ビデオ信号プロセッサがドライバーＩＣをコントロールして、チャージリセット信号であるブラック信号Ｖblackを出力する。それ故に、常時ブラック（訳注：原文ではホワイト）パネルがスイッチオフする前に、総てのピクセルがチャージリセットを完了する。
【００２５】
上記の実施例において、フラットパネルディスプレーのスイッチオンオフでのノイズ抑制方法を記載している。フラットパネルディスプレーをスイッチオンしスイッチオフする時のノイズを避けるために、この分野の当業者が両方のノイズ抑制方法を一体化することは価値がある。スイッチオン動作時、タイムコントローラＩＣの信号検知回路が、信号が安定しているかどうかを検知する。それにより不安定な信号が検知されると、ビデオ信号プロセッサがドライバーＩＣをコントロールして、ブラックバースト信号を出力する。スイッチオフ動作時には、信号検知回路がスイッチオフ信号を検知する。スイッチオフ信号を検知すると、ビデオ信号プロセッサがドライバーＩＣをコントロールして、チャージリセット信号を出力する。よって、総てのピクセルがチャージリセットを行うまで、フラットパネルディスプレーはスイッチオフされない。スイッチオン動作時に発生する不安定な信号に起因するノイズが抑えられ、スイッチオフ動作時に起きるフェードアウト現象も改善される。
【図面の簡単な説明】
【００２６】
【図１】本発明によりスイッチ動作時のノイズを抑制するために、タイムコントローラＩＣに信号検知回路およびビデオ信号プロセッサを挿入している概略図。
【図２】フラットパネルディスプレーでスイッチ動作時のノイズを抑制する方法を示すブロックダイアグラム。
【図３Ａ】ビデオ信号プロセッサがスイッチオン動作時に信号を出力するような実施状態。
【図３Ｂ】ビデオ信号プロセッサがスイッチオン動作時に信号を出力するような実施状態。
【図４】タイムコントローラを使ってスイッチオフ時のノイズを抑制する概略図。
【図５】フラットパネルでスイッチオフ時のノイズを抑制する方法の概略図。
【図６Ａ】ビデオ信号プロセッサによりスイッチオフ動作時に信号を出力する概略図。
【図６Ｂ】ビデオ信号プロセッサによりスイッチオフ動作時に信号を出力する概略図。
【図１】
2005037707.tif 000003
【図２】
2005037707.tif 000004
【図３Ａ】
2005037707.tif 000005
【図３Ｂ】
2005037707.tif 000006
【図４】
2005037707.tif 000007
【図５】
2005037707.tif 000008
【図６Ａ】
2005037707.tif 000009
【図６Ｂ】
2005037707.tif 000010